(57)【要約】【課題】  クッション性を確保しつつ接地面からの情報を得ることができるシューズ用ソール構造体を提供する。【解決手段】  シューズのソール構造体１において、足裏当接側に複数の第１の凸部２０を有する第１のミッドソール２と、接地面側に複数の第２の凸部３０を有するアウトソール３と、第１のミッドソール２とアウトソール３との間の一部の領域に配置され、第１のミッドソール２よりも圧縮剛性が小さい第２のミッドソール４とを設ける。第１のミッドソール２の複数の第１の凸部２０の少なくとも一部をアウトソール３の複数の第２の凸部３０の少なくとも一部に対して上下に対応する位置に配置する。【選択図】  図４
2020163083.tif 000002
【特許請求の範囲】
【請求項１】
シューズのソール構造体であって、
足裏当接側に複数の第１の凸部を有する第１のミッドソールと、
接地面側に複数の第２の凸部を有するアウトソールと、
前記第１のミッドソールと前記アウトソールとの間の一部の領域に配置され、前記第１のミッドソールよりも圧縮剛性が小さい第２のミッドソールとを備え、
前記複数の第１の凸部の少なくとも一部が前記複数の第２の凸部の少なくとも一部に対して上下に対応する位置に配置されている、
ことを特徴とするシューズのソール構造体。
【請求項２】
請求項１において、
前記第１のミッドソールが踵部から前足部まで延設されるとともに、前記第１の凸部が踵部から前足部まで設けられている、  
ことを特徴とするシューズのソール構造体。
【請求項３】
請求項１において、
前記第２のミッドソールが、前記第１のミッドソールと前記アウトソールとの間の前記一部の領域において平坦状のシート部を有している、
ことを特徴とするシューズのソール構造体。
【請求項４】
請求項３において、
前記第２のミッドソールが、前記シート部の周縁部から立ち上がるとともに前記第１のミッドソールの周縁部を囲繞しつつ延びる立ち上がり部を有している、
ことを特徴とするシューズのソール構造体。
【請求項５】
請求項１において、
前記第１のミッドソールおよび前記アウトソールが、前記第１のミッドソールと前記アウトソールとの間の一部の領域では前記第２のミッドソールを介して接触しており、前記一部の領域以外の領域では直接接触している、
ことを特徴とするシューズのソール構造体。
【請求項６】
請求項１において、
前記第１のミッドソールが一様な厚みの薄板状のベース部を有し、前記複数の第１の凸部が互いに分離しつつ前記ベース部のベース面から突出して設けられている、  
ことを特徴とするシューズのソール構造体。
【請求項７】
請求項６において、
前記ベース面上で隣り合う前記複数の第１の凸部が、前記ベース面を底面としつつ互いに交差する複数の溝で仕切られている、
ことを特徴とするシューズのソール構造体。
【請求項８】
請求項１において、
前記第２のミッドソールが踵部から中足部にかけての領域に配置されている、
ことを特徴とするシューズのソール構造体。
【請求項９】
請求項１において、
前記第２のミッドソールが前足部に配置されている、
ことを特徴とするシューズのソール構造体。
【請求項１０】
請求項１において、
前記第２のミッドソールが拇趾球部に配置されている、
ことを特徴とするシューズのソール構造体。
【請求項１１】
請求項１において、
前記第２のミッドソールが、足の第５趾中足骨に対応する領域に配置されている、  
ことを特徴とするシューズのソール構造体。
【請求項１２】
請求項１において、
前記第１のミッドソールおよび前記アウトソールが中足部に配置されるとともに、中足部において前記第１のミッドソールおよび前記アウトソールの間に硬質プレートが設けられている、  
ことを特徴とするシューズのソール構造体。
【発明の詳細な説明】
【技術分野】
【０００１】
本発明は、シューズのソール構造体に関し、詳細には、クッション性を確保しつつ接地面からの情報を得ることができるようにするための構造の改良に関する。
【背景技術】
【０００２】
シューズのソール構造体として、米国特許出願公開第２０１０／０１２６０４３号明細書には、ソールの前足部領域に複数の接地パッドを設け、接地パッドに発生した力を着用者（とくに幼児）の足にフィードバックさせるように構成されたものが記載されている（段落［００５７］、図２ないし図４、図１１、図２４参照）。
【発明の概要】
【発明が解決しようとする課題】
【０００３】
しかしながら、上記従来の構成では、ソールの後足部領域に接地パッドが設けられておらず、そのため、後足部領域においては、接地面からの情報を着用者にフィードバックさせることができない。その一方、後足部領域には前足部領域よりも大きな荷重が作用するため、それを考慮して耐へたり性の高い材料から後足部を構成した場合には、クッション性や足当たり性が低下することが考えられる。
【０００４】
本発明は、このような従来の実情に鑑みてなされたもので、本発明が解決しようとする課題は、クッション性を確保しつつ接地面からの情報を得ることができるシューズ用ソール構造体を提供することにある。また、本発明は、耐へたり性を向上させつつ、クッション性の維持および接地面情報のフィードバックを可能にするシューズ用ソール構造体を提供しようとしている。さらに、本発明は、接地面情報のフィードバックとクッション性の維持を長期間にわたって実現可能なシューズ用ソール構造体を提供しようとしている。
【課題を解決するための手段】
【０００５】
本発明に係るシューズ用ソール構造体は、足裏当接側に複数の第１の凸部を有する第１のミッドソールと、接地面側に複数の第２の凸部を有するアウトソールと、第１のミッドソールとアウトソールとの間の一部の領域に配置され、第１のミッドソールよりも圧縮剛性が小さい第２のミッドソールとを備えており、第１のミッドソールの複数の第１の凸部の少なくとも一部がアウトソールの複数の第２の凸部の少なくとも一部に対して上下に対応する位置に配置されている。
【０００６】
本発明によれば、接地面との接触時にアウトソールの第２の凸部が接地すると、第２の凸部に作用した接地面からの地面反力の大きさや方向、接地面の凹凸状態等の接地面情報がアウトソールの第２の凸部と上下に対応する位置に配置された第１のミッドソールの第１の凸部に伝達され、第１の凸部からシューズ着用者の足裏に伝達される。これにより、接地面情報が着用者の足裏にフィードバックされる。このとき、第１のミッドソールとアウトソールの間の一部の領域には、第１のミッドソールよりも圧縮剛性が小さい第２のミッドソールが配置されているので、当該領域のクッション性は高い。そのため、接地面情報が第２のミッドソールを介してアウトソールから第１のミッドソールに伝達される領域においては、第１のミッドソールの第１の凸部を耐へたり性の高い材料で構成しても、クッション性を向上でき、長期間にわたって接地面情報のフィードバックとクッション性の維持を実現できるようになる。
【０００７】
本発明では、第１のミッドソールが踵部から前足部まで延設されるとともに、第１の凸部が踵部から前足部まで設けられている。この場合には、踵部から前足部にわたって（すなわち後足部から前足部に至る領域において）、接地面情報を得ることができる。
【０００８】
本発明では、第２のミッドソールが、第１のミッドソールとアウトソールとの間の一部の領域において平坦状のシート部を有している。
【０００９】
本発明では、第２のミッドソールが、シート部の周縁部から立ち上がるとともに第１のミッドソールの周縁部を囲繞しつつ延びる立ち上がり部を有している。
【００１０】
本発明では、第１のミッドソールおよびアウトソールが、第１のミッドソールとアウトソールの間の一部の領域では第２のミッドソールを介して接触しており、一部の領域以外の領域では直接接触している。
【００１１】
この場合、一部の領域では、クッション性を維持しつつ接地面情報を取得でき、それ以外の領域においては、アウトソールからダイレクトに接地面情報が伝達されることになる。
【００１２】
本発明では、第１のミッドソールが一様な厚みの薄板状のベース部を有し、複数の第１の凸部が互いに分離しつつベース部のベース面から突出して設けられている。
【００１３】
本発明では、ベース面上で隣り合う複数の第１の凸部が、ベース面を底面としかつ互いに交差する複数の溝で仕切られている。
【００１４】
本発明では、第２のミッドソールが踵部から中足部にかけての領域に配置されている。この場合には、踵部から中足部にかけての領域において、クッション性を維持しつつ接地面情報を取得できる。
【００１５】
本発明では、第２のミッドソールが前足部に配置されており、前足部において、クッション性を維持しつつ接地面情報を取得できる。
【００１６】
本発明では、第２のミッドソールが拇趾球部に配置されており、拇趾球部において、クッション性を維持しつつ接地面情報を取得できる。
【００１７】
本発明では、第２のミッドソールが足の第５趾中足骨に対応する部分を含む領域に配置されており、当該領域において、クッション性を維持しつつ接地面情報を取得できる。
【００１８】
本発明では、第１のミッドソールおよびアウトソールが中足部に配置されるとともに、中足部において第１のミッドソールおよびアウトソールの間に硬質プレートが設けられている。この場合には、硬質プレートにより、中足部の曲げ剛性を向上できる。
【発明の効果】
【００１９】
以上のように、本発明に係るシューズ用ソール構造体によれば、足裏当接側に複数の第１の凸部を有する第１のミッドソールと、接地面側に複数の第２の凸部を有するアウトソールと、第１のミッドソールとアウトソールとの間の一部の領域に配置され、第１のミッドソールよりも圧縮剛性が小さい第２のミッドソールとを設け、第１のミッドソールの複数の第１の凸部の少なくとも一部をアウトソールの複数の第２の凸部の少なくとも一部に対して上下に対応する位置に配置するようにしたので、接地面情報がアウトソールから第２のミッドソールを介して第１のミッドソールに伝達される領域においては、クッション性を向上でき、長期間にわたって接地面情報のフィードバックとクッション性の維持を実現できるようになる。
【図面の簡単な説明】
【００２０】
【図１】本発明によるシューズのソール構造体の全体斜視図である。
【図２】前記ソール構造体（図１）の分解組立図である。
【図３】本発明の第１の実施例によるシューズのソール構造体の平面図である。
【図４】図３のIV-IV線断面図であって、前記ソール構造体（図３）の前後方向中心線に沿った縦断面に相当している。
【図５】図３のV-V線断面図であって、前記ソール構造体（図３）のV-V線に沿った横断面に相当している。
【図６】図３のVI-VI線断面図であって、前記ソール構造体（図３）のVI-VI線に沿った横断面に相当している。
【図７】前記ソール構造体（図３）の底面図である。
【図８】本発明の第２の実施例によるシューズのソール構造体の平面図である。
【図９】図８のIX-IX線断面図であって、前記ソール構造体（図８）の前後方向中心線に沿った縦断面に相当している。
【図１０】図８のX-X線断面図であって、前記ソール構造体（図８）のX-X線に沿った横断面に相当している。
【図１１】図８のXI-XI線断面図であって、前記ソール構造体（図８）のXI-XI線に沿った横断面に相当している。
【図１２】本発明の第３の実施例によるシューズのソール構造体の平面図である。
【図１３】図１２のXIII-XIII線断面図であって、前記ソール構造体（図１２）の前後方向中心線に沿った縦断面に相当している。
【図１４】図１２のXIV-XIV線断面図であって、前記ソール構造体（図１２）のXIV-XIV線に沿った横断面に相当している。
【図１５】図１２のXV-XV線断面図であって、前記ソール構造体（図１２）のXV-XV線に沿った横断面に相当している。
【図１６】本発明の第４の実施例によるシューズのソール構造体の平面図である。
【図１７】図１６のXVII-XVII線断面図であって、前記ソール構造体（図１６）の前後方向中心線に沿った縦断面に相当している。
【図１８】図１６のXVIII-XVIII線断面図であって、前記ソール構造体（図１６）のXVIII-XVIII線に沿った横断面に相当している。
【図１９】図１６のXIX-XIX線断面図であって、前記ソール構造体（図１６）のXIX-XIX線に沿った横断面に相当している。
【図２０】本発明の第５の実施例によるシューズのソール構造体の平面図である。
【図２１】図２０のXXI-XXI線断面図であって、前記ソール構造体（図２０）の前後方向中心線に沿った縦断面に相当している。
【図２２】図２０のXXII-XXII線断面図であって、前記ソール構造体（図２０）のXXII-XXII線に沿った横断面に相当している。
【図２３】図２０のXXIII-XXIII線断面図であって、前記ソール構造体（図２０）のXXIII-XXIII線に沿った横断面に相当している。
【図２４】本発明の第６の実施例によるシューズのソール構造体の平面図である。
【図２５】図２４のXXV-XXV線断面図であって、前記ソール構造体（図２４）の前後方向中心線に沿った縦断面に相当している。
【図２６】図２４のXXVI-XXVI線断面図であって、前記ソール構造体（図２４）のXXVI-XXVI線に沿った横断面に相当している。
【図２７】図２４のXXVII-XXVII線断面図であって、前記ソール構造体（図２４）のXXVII-XXVII線に沿った横断面に相当している。
【発明を実施するための形態】
【００２１】
まず、本発明によるシューズのソール構造体の全体構造について説明し、次に、第１ないし第６の実施例について説明する。なお、ここでは、たとえばフィットネスクラブ等でランニングやトレーニング等に使用されるトレーニングシューズを例にとる。
〔全体構造の説明〕
図１は本発明によるソール構造体の全体斜視図であり、図２はその分解組立図である。これらの図に示すように、ソール構造体１は、上側に配置された第１のミッドソール２と、下側に配置されたアウトソール３と、第１のミッドソール２およびアウトソール３の間に配置された第２のミッドソール４とを備えており、これらを上下に積層して構成されている。
【００２２】
第１のミッドソール２は、着用者の足裏当接側に配置される部材であって、上面（つまり足裏当接側の面）に多数の第１の凸部２０を有している。第１の凸部２０は第１のミッドソール２の上面全体に分布している。アウトソール３は、接地面側に配置される部材であって、下面（つまり接地面側の面）に多数の第２の凸部３０を有している。第２の凸部３０は、アウトソール３の下面全体に分布している。第２のミッドソール４は、第１のミッドソール２とアウトソール３との間で挟持される部材であって、略平坦状の底壁面（シート部）４０と、上下に貫通する開口部４０ａとを有している。この例では、第２のミッドソール４の後足部領域に底壁面４０が配置され、前足部領域に開口部４０ａが配置されている。
【００２３】
ソール構造体１の後足部領域においては、第１のミッドソール２の下面は、第２のミッドソール４の底壁面４０を介してアウトソール３の上面と接触しており、ソール構造体１の前足部領域においては、第１のミッドソール２の下面は直接アウトソール３の上面と接触している。第１のミッドソール２の厚みは後足部領域２Ａ１と前足部領域２Ａ２とで異なっていて、後足部領域２Ａ２の厚みは前足部領域２Ａ１の厚み（つま先部の厚みを除く）よりも薄くなっており、双方の領域の境界には段差部２Ａａが形成されている。後足部領域２Ａ１は第２のミッドソール４の底壁面４０と当接し、前足部領域２Ａ１は第２のミッドソール４の開口部４０ａ内に嵌合し、開口部４０ａを通って下方のアウトソール３と当接している。
【００２４】
第１のミッドソール２としては、耐へたり性のある素材が好ましく、たとえばポリウレタン（ＰＵ）やラバー等が用いられる。第２のミッドソール４としては、クッション性のある素材が好ましく、第１のミッドソール２よりも圧縮剛性が小さい素材、たとえば、発泡倍率が高いエチレン-酢酸ビニル共重合樹脂（ＥＶＡ）等が用いられる。圧縮剛性が小さいものはクッション性が高いといえる。なお、第１、第２のミッドソール２、４の素材としては、第２のミッドソール４の圧縮剛性が第１のミッドソール２の圧縮剛性より小さければ、前記具体例とは逆に、第１のミッドソール２としてＥＶＡを用い、第２のミッドソールとしてＰＵを用いてもよい。また、第２のミッドソール４の圧縮剛性が第１のミッドソール２の圧縮剛性より小さければ、第１、第２のミッドソール２、４の素材として双方ともＥＶＡを用いたり、ＰＵを用いたりすることも可能であり、また双方とも他の同じ素材を用いるようにしてもよい。アウトソール３としては、耐摩耗性のある素材が好ましく、たとえばポリウレタン（ＰＵ）やラバー等が用いられるが、相対的に高硬度のものが好ましい。
【００２５】
〔第１の実施例〕
図３ないし図７は、本発明の第１の実施例によるシューズ用ソール構造体を説明するための図である。なお、以下の説明中、上方（上側/上）および下方（下側/下）とは、シューズの上下方向の位置関係を表し、前方（前側/前）および後方（後側/後）とは、シューズの前後方向の位置関係を表しており、幅方向とはシューズの左右方向を指すものとする。すなわち、上方および下方は、図３の平面図を例にとった場合、同図の紙面手前側および紙面奥側をそれぞれ指しており、前方および後方は、同図の上方および下方をそれぞれ指しており、幅方向は、同図の左右方向を指している。また、図４の縦断面図および図５、図６の横断面図においては、図示の便宜上、本実施例によるソール構造体を構成する第１のミッドソール２および第２のミッドソール４のみをハッチングで示しており、アウトソール３のハッチングは省略している。
【００２６】
図３ないし図７に示すように、ソール構造体１を構成する第１のミッドソール２およびアウトソール３は、踵部領域Ｈから中足部領域Ｍをへて前足部領域Ｆまで延設されている。第１のミッドソール２の上面に設けられた多数の第１の凸部２０は、第１のミッドソール２の上面において前後方向および幅方向に所定間隔で配置されている。同様に、アウトソール３の下面に設けられた多数の第２の凸部３０は、アウトソール３の下面において前後方向および幅方向に所定間隔で配置されている。第１の凸部２０は第２の凸部３０に対して上下に対応する位置に配置されており、好ましくは一対一の対応関係にある（図４ないし図６参照）。
【００２７】
第１のミッドソール２は、一様な厚みの薄板状のベース部２Ａを有しており、複数の第１の凸部２０は互いに分離しつつベース部２Ａのベース面から突出して設けられている。別の言い方をすると、ベース部２Ａのベース面上で隣り合う複数の第１の凸部２０は、ベース面を底面としつつ互いに交差する多数の溝２ａで仕切られて区画されている。この例では、第１の凸部２０は平面視略菱形状または略矩形状の形状を有し、同様に、アウトソール３の第２の凸部３０は底面視略菱形状または略矩形状の形状を有している。ベース部２Ａの厚みは、たとえば約２ｍｍ（またはそれ以下）に設定される。また、第１、第２の凸部２０、３０は、中央部が突出する凸状湾曲面（または凸状円弧面）を有している。
【００２８】
第２のミッドソール４は、ソール構造体１の後足部領域（踵部領域Ｈおよび中足部領域Ｍを含む）に配置されかつ後足部領域全体にわたって延在する底壁面４０と、底壁面４０の周縁部から上方に立ち上がるとともに、前足部領域Ｆに形成された開口部４０ａの周囲を囲繞しつつ上方に立ち上がる立ち上がり部４１とを有している。立ち上がり部４１は、第１のミッドソール２を第２のミッドソール４に組み込んだ状態で、第１のミッドソール２の周縁部を囲繞するように設けられている（図１参照）。なお、アウトソール３にも同様の立ち上がり部３１が設けられており、立ち上がり部３１の下面にも第２の凸部３０が設けられている。一方、第１のミッドソール２には、アウトソール３の立ち上がり部３１に対応する立ち上がり部が設けられていないため、アウトソール３の立ち上がり部３１の第２の凸部３０に対応する第１の凸部は第１のミッドソール２には設けられていない。よって、本明細書中では、第１の凸部２０と第２の凸部３０とが一対一の対応関係にあるとは表現せずに、第１の凸部２０が第２の凸部３０に対して一対一の対応関係にあると表現している。
【００２９】
上述のように構成されるソール構造体１において、接地面との接触時にアウトソール３の第２の凸部３０が接地すると、第２の凸部３０に作用する接地面からの地面反力の大きさや方向、接地面の凹凸状態等を含む接地面情報が、第２の凸部３０を介して、第２の凸部３０と上下に対応する位置に配置された第１のミッドソール２の対応する第１の凸部２０に伝達され、第１の凸部２０からシューズ着用者の足裏に伝達される。これにより、接地面情報が着用者の足裏にフィードバックされる。
【００３０】
ここで、踵部領域Ｈおよび中足部領域Ｍを含む後足部領域には、第２のミッドソール４の底壁面４０が配置されているので、後足部領域において、接地時の地面反力は、アウトソール３の第２の凸部３０から第２のミッドソール４の底壁面４０を介して第１のミッドソール２の第１の凸部２０に伝達される。このとき、第２のミッドソール４の底壁面４０は、第１のミッドソール２よりも圧縮剛性が小さく、地面反力を吸収できるので、底壁面４０が介在することで後足部領域におけるクッション性を向上できる。とくに後足部領域には、着地時に体重の数倍の大きな衝撃荷重が作用するので、底壁面４０でこのような衝撃荷重を吸収することで、第１の凸部２０から後足部領域の足裏に局部的に大きな突上げ力が作用するのを防止できる。また、後足部領域において第１のミッドソール２の第１の凸部２０を耐へたり性の高い材料で構成しても、第２のミッドソール４の底壁面４０によって後足部領域のクッション性を向上でき、これにより、長期間にわたって接地面情報のフィードバックとクッション性の維持を後足部領域において実現できるようになる。
【００３１】
その一方、前足部領域Ｆにおいては、第２のミッドソール４の底壁面４０が配置されておらず開口部４０ａが配置されており、第１のミッドソール２の下面がアウトソール３の上面に直接接触しているので、接地時の地面反力は、アウトソール３の第２の凸部３０から直接第１のミッドソール２の第１の凸部２０に伝達されることになり、接地面情報が着用者の足裏にダイレクトに伝達される。
【００３２】
前記第１の実施例では、クッション用のシート面として機能する第２のミッドソール４の底壁面４０がソール構造体１の後足部領域（つまり踵部領域Ｈから中足部領域Ｍにかけての領域）に配置された例を示したが、本発明の適用はこれに限定されない。本発明においては、第２のミッドソール４の底壁面４０は他の領域や部位に配置されていてもよく、第２のミッドソール４の底壁面４０は第１のミッドソール２とアウトソール３との間の一部の領域に配置される。
【００３３】
〔第２の実施例〕
図８ないし図１１は、本発明の第２の実施例によるシューズ用ソール構造体を説明するための図である。これらの図において、前記第１の実施例と同一符号は同一または相当部分を示している。この第２の実施例では、第２のミッドソール４の底壁面４０が前足部領域Ｆに配置されるとともに、前足部領域Ｆの全体にわたって分布しており、後足部領域には、第２のミッドソール４の開口部４０ａが配置されている。
【００３４】
第２の実施例においては、前記第１の実施例と同様に、接地面との接触時にアウトソール３の第２の凸部３０が接地すると、第２の凸部３０に作用する接地面からの地面反力の大きさや方向、接地面の凹凸状態等を含む接地面情報が、第２の凸部３０を介して、第２の凸部３０と上下に対応する位置に配置された第１のミッドソール２の対応する第１の凸部２０に伝達され、第１の凸部２０からシューズ着用者の足裏に伝達される。これにより、接地面情報が着用者の足裏にフィードバックされる。
【００３５】
この場合、前足部領域Ｆに第２のミッドソール４の底壁面４０が配置されているので、前足部領域Ｆにおいて、接地時の地面反力は、アウトソール３の第２の凸部３０から第２のミッドソール４の底壁面４０を介して第１のミッドソール２の第１の凸部２０に伝達される。このとき、第２のミッドソール４の底壁面４０は、第１のミッドソール２よりも圧縮剛性が小さく、地面反力を吸収できるので、底壁面４０が介在することで前足部領域Ｆにおけるクッション性を向上できるとともに、前足部領域Ｆにおいて第１の凸部２０から足裏への局部的な突上げ力を緩和できる。また、前足部領域Ｆにおいて第１のミッドソール２の第１の凸部２０を耐へたり性の高い材料で構成しても、第２のミッドソール４の底壁面４０によって前足部領域Ｆのクッション性を向上でき、これにより、長期間にわたって接地面情報のフィードバックとクッション性の維持を前足部領域Ｆにおいて実現できるようになる。
【００３６】
その一方、後足部領域においては、第２のミッドソール４の底壁面４０が配置されておらず開口部４０ａが配置されており、第１のミッドソール２の下面がアウトソール３の上面に直接接触しているので、接地時の地面反力は、アウトソール３の第２の凸部３０から直接第１のミッドソール２の第１の凸部２０に伝達されることになり、接地面情報が着用者の足裏にダイレクトに伝達される。なお、この場合、後足部領域に作用する着地時の衝撃荷重は、第１のミッドソール２の厚みを厚くすることで吸収されるように構成されている（図１１参照）。
【００３７】
〔第３の実施例〕
図１２ないし図１５は、本発明の第３の実施例によるシューズ用ソール構造体を説明するための図である。これらの図において、前記第１、第２の実施例と同一符号は同一または相当部分を示している。この第３の実施例では、第２のミッドソール４の底壁面４０が着用者の足の拇趾球部ＴＥ（図１２）およびその周辺領域に対応する領域に配置されており、第２のミッドソール４のその他の領域には開口部４０ａが形成されている。ここで、拇趾球部とは、第１趾基節骨と第１趾中足骨との間の第１趾中足趾節関節の部分およびその周囲の足裏膨出部分である。
【００３８】
第３の実施例においては、前記第１、第２の実施例と同様に、接地面との接触時にアウトソール３の第２の凸部３０が接地すると、第２の凸部３０に作用する接地面からの地面反力の大きさや方向、接地面の凹凸状態等を含む接地面情報が、第２の凸部３０を介して、第２の凸部３０と上下に対応する位置に配置された第１のミッドソール２の対応する第１の凸部２０に伝達され、第１の凸部２０からシューズ着用者の足裏に伝達される。これにより、接地面情報が着用者の足裏にフィードバックされる。
【００３９】
この場合、拇趾球部ＴＥに第２のミッドソール４の底壁面４０が配置されているので、拇趾球部ＴＥにおいて、接地時の地面反力は、アウトソール３の第２の凸部３０から第２のミッドソール４の底壁面４０を介して第１のミッドソール２の第１の凸部２０に伝達される。このとき、第２のミッドソール４の底壁面４０は、第１のミッドソール２よりも圧縮剛性が小さく、地面反力を吸収できるので、底壁面４０が介在することで拇趾球部ＴＥにおけるクッション性を向上できるとともに、第１の凸部２０から拇趾球部ＴＥへの局部的な突上げ力を緩和できる。拇趾球部ＴＥは前足部領域Ｆの中で最も足圧が高くなる領域なので、底壁面４０で荷重を吸収することで第１の凸部２０から拇趾球部ＴＥに局部的に大きな突上げ力が作用するのを防止できる。また、拇趾球部ＴＥにおいて第１のミッドソール２の第１の凸部２０を耐へたり性の高い材料で構成しても、第２のミッドソール４の底壁面４０によって拇趾球部ＴＥのクッション性を向上でき、これにより、長期間にわたって接地面情報のフィードバックとクッション性の維持を拇趾球部ＴＥにおいて実現できるようになる。
【００４０】
その一方、拇趾球部ＴＥ以外の前足部領域Ｆおよび後足部領域においては、第２のミッドソール４の底壁面４０が配置されておらず開口部４０ａが配置されており、第１のミッドソール２の下面がアウトソール３の上面に直接接触しているので、接地時の地面反力は、アウトソール３の第２の凸部３０から直接第１のミッドソール２の第１の凸部２０に伝達されることになって、接地面情報が着用者の足裏にダイレクトに伝達される。なお、この場合、後足部領域に作用する着地時の衝撃荷重は、第１のミッドソール２の厚みを厚くすることで吸収されるように構成されている（図１５参照）。
【００４１】
〔第４の実施例〕
図１６ないし図１９は、本発明の第４の実施例によるシューズ用ソール構造体を説明するための図である。これらの図において、前記第１ないし第３の実施例と同一符号は同一または相当部分を示している。この第４の実施例では、第２のミッドソール４の底壁面４０が着用者の足の第５趾中足骨ＭＢ５に対応する領域に配置されている。
【００４２】
第４の実施例においては、前記第１ないし第３の実施例と同様に、接地面との接触時にアウトソール３の第２の凸部３０が接地すると、第２の凸部３０に作用する接地面からの地面反力の大きさや方向、接地面の凹凸状態等を含む接地面情報が、第２の凸部３０を介して、第２の凸部３０と上下に対応する位置に配置された第１のミッドソール２の対応する第１の凸部２０に伝達され、第１の凸部２０からシューズ着用者の足裏に伝達される。これにより、接地面情報が着用者の足裏にフィードバックされる。
【００４３】
この場合、足の第５趾中足骨ＭＢ５に対応する領域に第２のミッドソール４の底壁面４０が配置されているので、第５趾中足骨ＭＢ５に対応する領域において、接地時の地面反力は、アウトソール３の第２の凸部３０から第２のミッドソール４の底壁面４０を介して第１のミッドソール２の第１の凸部２０に伝達される。このとき、第２のミッドソール４の底壁面４０は、第１のミッドソール２よりも圧縮剛性が小さく、地面反力を吸収できるので、底壁面４０が介在することで第５趾中足骨ＭＢ５に対応する領域におけるクッション性を向上できるとともに、第５趾中足骨ＭＢ５に対応する領域に対して第１の凸部２０からの局部的な突上げ力を緩和できる。その結果、運動時に第５趾中足骨ＭＢ５の骨折を防止できる。また、第５趾中足骨ＭＢ５に対応する領域において第１のミッドソール２の第１の凸部２０を耐へたり性の高い材料で構成しても、第２のミッドソール４の底壁面４０によって第５趾中足骨ＭＢ５に対応する領域のクッション性を向上でき、これにより、長期間にわたって接地面情報のフィードバックとクッション性の維持を第５趾中足骨ＭＢ５に対応する領域において実現できるようになる。
【００４４】
その一方、第５趾中足骨ＭＢ５に対応する領域以外の前足部領域Ｆおよび後足部領域においては、第２のミッドソール４の底壁面４０が配置されておらず開口部４０ａが配置されており、第１のミッドソール２の下面がアウトソール３の上面に直接接触しているので、接地時の地面反力は、アウトソール３の第２の凸部３０から直接第１のミッドソール２の第１の凸部２０に伝達されることになって、接地面情報が着用者の足裏にダイレクトに伝達される。なお、この場合、後足部領域に作用する着地時の衝撃荷重は、第１のミッドソール２の厚みを厚くすることで吸収されるように構成されている（図１９参照）。
【００４５】
〔第５の実施例〕
図２０ないし図２３は、本発明の第５の実施例によるシューズ用ソール構造体を説明するための図である。これらの図において、前記第１ないし第４の実施例と同一符号は同一または相当部分を示している。この第５の実施例では、前記第３の実施例において第１のミッドソール２が前足部領域Ｆおよび中足部領域Ｍの前端側部分にのみ設けられ、後足部領域に設けられていない例を示している。この第５の実施例では、ソール構造体１の踵部領域Ｈおよび中足部領域Ｍの残りの領域において足裏当接側には、凸部が形成されていない。
【００４６】
第５の実施例においては、前記第１ないし第４の実施例と同様に、接地面との接触時にアウトソール３の第２の凸部３０が接地すると、第２の凸部３０に作用する接地面からの地面反力の大きさや方向、接地面の凹凸状態等を含む接地面情報が、第２の凸部３０を介して、第２の凸部３０と上下に対応する位置に配置された第１のミッドソール２の対応する第１の凸部２０に伝達され、第１の凸部２０からシューズ着用者の足裏に伝達される。これにより、接地面情報が着用者の足裏にフィードバックされる。
【００４７】
この場合、拇趾球部ＴＥに第２のミッドソール４の底壁面４０が配置されているので、拇趾球部ＴＥにおいて、接地時の地面反力は、アウトソール３の第２の凸部３０から第２のミッドソール４の底壁面４０を介して第１のミッドソール２の第１の凸部２０に伝達される。このとき、第２のミッドソール４の底壁面４０は、第１のミッドソール２よりも圧縮剛性が小さく、地面反力を吸収できるので、底壁面４０が介在することで拇趾球部ＴＥにおけるクッション性を向上できるとともに、拇趾球部ＴＥにおいて第１の凸部２０から足裏への局部的な突上げ力を緩和できる。また、拇趾球部ＴＥにおいて第１のミッドソール２の第１の凸部２０を耐へたり性の高い材料で構成しても、第２のミッドソール４の底壁面４０によって拇趾球部ＴＥのクッション性を向上でき、これにより、長期間にわたって接地面情報のフィードバックとクッション性の維持を拇趾球部ＴＥにおいて実現できるようになる。
【００４８】
その一方、拇趾球部ＴＥ以外の前足部領域Ｆにおいては、第２のミッドソール４の底壁面４０が配置されておらず開口部４０ａが配置されており、第１のミッドソール２の下面がアウトソール３の上面に直接接触しているので、接地時の地面反力は、アウトソール３の第２の凸部３０から直接第１のミッドソール２の第１の凸部２０に伝達されることになって、接地面情報が着用者の足裏にダイレクトに伝達されるこ。また、後足部領域に作用する着地時の衝撃荷重は、第２のミッドソール４の厚みを厚くすることで吸収されるように構成されている（図２３参照）。
【００４９】
〔第６の実施例〕
図２４ないし図２７は、本発明の第６の実施例によるシューズ用ソール構造体を説明するための図である。これらの図において、前記第１ないし第５の実施例と同一符号は同一または相当部分を示している。この第６の実施例では、第２のミッドソール４の底壁面４０がソール構造体１の踵部領域Ｈおよび中足部領域Ｍの後端側領域（すなわち主に踵部領域Ｈ）に配置されるとともに、中足部領域Ｍおよび前足部領域Ｆの後端側領域（すなわち主に中足部領域Ｍ）に薄肉の硬質プレート５が設けられている。硬質プレート５は、硬質弾性部材から構成されており、具体的には、熱可塑性ポリウレタン（ＴＰＵ）やポリアミドエラストマー（ＰＡＥ）、エチレン-酢酸ビニル共重合樹脂（ＥＶＡ）等の熱可塑性樹脂、またはエポキシ等の熱硬化性樹脂から構成されている。
【００５０】
第６の実施例においては、前記第１ないし第５の実施例と同様に、接地面との接触時にアウトソール３の第２の凸部３０が接地すると、第２の凸部３０に作用する接地面からの地面反力の大きさや方向、接地面の凹凸状態等を含む接地面情報が、第２の凸部３０を介して、第２の凸部３０と上下に対応する位置に配置された第１のミッドソール２の対応する第１の凸部２０に伝達され、第１の凸部２０からシューズ着用者の足裏に伝達される。これにより、接地面情報が着用者の足裏にフィードバックされる。
【００５１】
この場合、踵部領域Ｈに第２のミッドソール４の底壁面４０が配置されているので、踵部領域Ｈにおいて、接地時の地面反力は、アウトソール３の第２の凸部３０から第２のミッドソール４の底壁面４０を介して第１のミッドソール２の第１の凸部２０に伝達される。このとき、第２のミッドソール４の底壁面４０は、第１のミッドソール２よりも圧縮剛性が小さく、地面反力を吸収できるので、底壁面４０が介在することで踵部領域Ｈにおけるクッション性を向上できる。とくに踵部領域Ｈには、着地時に体重の数倍の大きな衝撃荷重が作用するので、底壁面４０でこのような衝撃荷重を吸収することで、第１の凸部２０から踵部領域Ｈの足裏に局部的に大きな突上げ力が作用するのを防止できる。また、踵部領域Ｈにおいて第１のミッドソール２の第１の凸部２０を耐へたり性の高い材料で構成しても、第２のミッドソール４の底壁面４０によって踵部領域Ｈのクッション性を向上でき、これにより、長期間にわたって接地面情報のフィードバックとクッション性の維持を踵部領域Ｈにおいて実現できるようになる。
【００５２】
その一方、前足部領域Ｆにおいては、第２のミッドソール４の底壁面４０が配置されておらず開口部４０ａが配置されており、第１のミッドソール２の下面がアウトソール３の上面に直接接触しているので、接地時の地面反力は、アウトソール３の第２の凸部３０から直接第１のミッドソール２の第１の凸部２０に伝達されることになって、接地面情報が着用者の足裏にダイレクトに伝達される。また、中足部領域Ｍには、硬質プレート５が配置されていることで中足部領域Ｍの曲げ剛性がアップしているので、着地時の荷重が踵部領域Ｈから中足部領域Ｍをへて前足部領域Ｆに移行していく際に、中足部領域Ｍの落ち込みを防止でき、これにより、スムーズな荷重移動を実現できる。
【００５３】
＜変形例＞
前記第１ないし第４、第６の実施例では、踵部領域Ｈから前足部領域Ｆにわたって、第１のミッドソール２の第１の凸部２０がアウトソール３の第２の凸部３０に対して上下に対応する位置に配置された例を示し、前記第５の実施例では、主に前足部領域Ｆにおいて、第１のミッドソール２の第１の凸部２０がアウトソール３の第２の凸部３０に対して上下に対応する位置に配置された例を示したが、本発明の適用はこれに限定されない。
【００５４】
第１の凸部２０が第２の凸部３０に対して上下に対応する位置関係にある領域は、踵部領域Ｈのみ、踵部領域Ｈおよび中足部領域Ｍを含む後足部領域のみ、またはこれらの領域の一部であってもよい。このような態様を総称して、本明細書中では、複数の第１の凸部３０の少なくとも一部が複数の第２の凸部３０の少なくとも一部に対して上下に対応する位置に配置されていると表現している。
【００５５】
＜その他の変形例＞
上述した実施例および各変形例はあらゆる点で本発明の単なる例示としてのみみなされるべきものであって、限定的なものではない。本発明が関連する分野の当業者は、本明細書中に明示の記載はなくても、上述の教示内容を考慮するとき、本発明の精神および本質的な特徴部分から外れることなく、本発明の原理を採用する種々の変形例やその他の実施例を構築し得る。
【００５６】
＜他の適用例＞
前記各実施例では、当該ソール構造体がトレーニングシューズに適用された例を示したが、本発明の適用はこれに限定されるものではなく、本発明は、ランニングシューズやウォーキングシューズ等を含む種々のスポーツシューズや、スポーツシューズ以外のシューズにも同様に適用可能である。
【産業上の利用可能性】
【００５７】
以上のように、本発明は、クッション性を確保しつつ接地面からの情報を得ることができるようにするためのシューズのソール構造体に有用である。
【符号の説明】
【００５８】
１：  ソール構造体
２：  第１のミッドソール
２０：  第１の凸部
２Ａ：  ベース部
２ａ：  溝
３：  アウトソール
３０：  第２の凸部
４：  第２のミッドソール
４０：  底壁面（シート部）
４１：  立ち上がり部
５：  硬質プレート
ＴＥ：  拇趾球部
ＭＢ５：  第５趾中足骨
Ｈ：  踵部領域
Ｍ：  中足部領域
Ｆ：  前足部領域
【先行技術文献】
【特許文献】
【００５９】
【特許文献１】米国特許出願公開第２０１０／０１２６０４３号明細書（段落［００５７］、図２ないし図４、図１１、図２４参照）
【図１】
2020163083.tif 000003
【図２】
2020163083.tif 000004
【図３】
2020163083.tif 000005
【図４】
2020163083.tif 000006
【図５】
2020163083.tif 000007
【図６】
2020163083.tif 000008
【図７】
2020163083.tif 000009
【図８】
2020163083.tif 000010
【図９】
2020163083.tif 000011
【図１０】
2020163083.tif 000012
【図１１】
2020163083.tif 000013
【図１２】
2020163083.tif 000014
【図１３】
2020163083.tif 000015
【図１４】
2020163083.tif 000016
【図１５】
2020163083.tif 000017
【図１６】
2020163083.tif 000018
【図１７】
2020163083.tif 000019
【図１８】
2020163083.tif 000020
【図１９】
2020163083.tif 000021
【図２０】
2020163083.tif 000022
【図２１】
2020163083.tif 000023
【図２２】
2020163083.tif 000024
【図２３】
2020163083.tif 000025
【図２４】
2020163083.tif 000026
【図２５】
2020163083.tif 000027
【図２６】
2020163083.tif 000028
【図２７】
2020163083.tif 000029